(57)【要約】【課題】  ハッチの開閉蓋の太陽の反射光が室内に照り返され室内の温度上昇を含め居住空間が損なわれる、夏場などにおいて室内の可燃しやすい家財への集中的な反射は異常な高温となり火災を招きかねない、また、火災等に耐え得る材質、強度を満足するためにステンレス材等が多く用いられるが集合住宅等のベランダ床面から突出した部分は周囲の色調、雰囲気とは調和せず、さらにハッチの開閉蓋は比較的、平面形状のため降雨時や、清掃により開閉蓋の上面が濡れている場合に不用意に踏込むとスリップして転倒事故等を誘発するといった、これ等の課題を解決することを目的とする。【解決手段】  ハッチの開閉面の上面に乱反射させ且つ周囲と調和するシート材を付着したハッチの開閉蓋とした。  【特許請求の範囲】
【請求項１】
ハッチの開閉蓋の上面に、乱反射させ且つ周囲と調和するシート材を付着したハッチの開閉蓋。
【請求項２】
開閉蓋の上面に付着したシート材の周囲と開閉蓋の外周とを挟持材にて挟持するようにした請求項１のハッチの開閉蓋。
【請求項３】
開閉蓋の上面に付着したシート材の周囲と開閉蓋の外周とを挟持材にて挟持するようにしたハッチの開閉蓋の挟持材であって、開閉蓋外周の直線部を挟持する直線挟持部と、開閉蓋外周のコーナー部を挟持するコーナー挟持部とに分割した挟持材。
【請求項４】
開閉蓋の上面に付着したシート材の周囲と開閉蓋の外周とを挟持材にて挟持するようにしたハッチの開閉蓋の挟持材であって、外周を一体に形成した挟持材。
【請求項５】
挟持材のコーナー挟持部に開閉蓋上面に滞留した水の排水口を設けた請求項３記載の挟持材。
【発明の詳細な説明】
【技術分野】
【０００１】
本発明は、ハッチの開閉蓋とその挟持材に関し、特に、集合住宅等の避難用ハッチの開閉蓋や屋上への出入口用ハッチの開閉蓋についてのものである。
【背景技術】
【０００２】
図６に示すように、避難用ハッチ１０１にはハシゴ１０６が設けられ、集合住宅のベランダ１０３等に設置が義務付けられている。階下への避難時の通路となるハッチ１０１最上端にある開閉蓋１０２は容易に開く事ができ、開いた状態での姿勢を保持しなければならない構造になっている。
【０００３】
また、本来の機能から火災等に耐え得る材質、強度が細部にわたり法令で規定されている。
【０００４】
それ等を満足するためには、開閉蓋１０２はステンレス材等が多用されている。
【特許文献１】特開２０００−１７６０３１号公報
【発明の開示】
【発明が解決しようとする課題】
【０００５】
図７に示すように、ハッチ１０１の開閉蓋１０２が平面的な形状のため、太陽１０８の反射光１１０が室内に照り返されるため、室内の温度の上昇を含め居住空間が損なわれる。特に、夏場などにおいて、室内の可燃しやすい家財への集中的な反射は、異常な高温となり火災を招きかねない。
【０００６】
また、火災等に耐えうる材質、強度を満足するために、ステンレス材等が多く用いられるが、集合住宅等のベランダ１０３床面から突出した部分は周囲の色調、雰囲気とは調和していない。
【０００７】
さらに、ハッチ１０１の開閉蓋１０２は比較的、平面形状のため降雨時や、清掃により開閉蓋１０２の上面が濡れている場合、不用意に踏込むとスリップして転倒事故を誘発する。
【課題を解決するための手段】
【０００８】
そこで、本発明は、上記の事情に鑑み、ハッチの開閉蓋の太陽の反射光が室内に照り返され室内の温度上昇を含め居住空間が損なわれる、夏場などにおいて室内の可燃しやすい家財への集中的な反射は異常な高温となり火災を招きかねない、また、火災等に耐え得る材質、強度を満足するためにステンレス材等が多く用いられるが集合住宅等のベランダ床面から突出した部分は周囲の色調、雰囲気とは調和せず、さらにハッチの開閉蓋は比較的、平面形状のため降雨時や、清掃により開閉蓋の上面が濡れている場合に不用意に踏込むとスリップして転倒事故等を誘発するといった、これ等の課題を解決すべく、ハッチの開閉蓋の上面に、乱反射させ且つ周囲と調和するシート材を付着したハッチの開閉蓋とした。
【０００９】
また、本発明は、安価で簡単に開閉蓋にシート材を装着できるようにすべく、開閉蓋の上面に付着したシート材の周囲と開閉蓋の外周とを挟持材にて挟持するようにした。
【００１０】
さらに、本発明は、より簡単に開閉蓋にシート材を装着できるようにすべく、開閉蓋の上面に付着したシート材の周囲と開閉蓋の外周とを挟持材にて挟持するようにしたハッチの開閉蓋の挟持材であって、開閉蓋外周の直線部を挟持する直線挟持部と、開閉蓋外周のコーナー部を挟持するコーナー挟持部とに分割した挟持材とした。
【００１１】
さらにまた、本発明は、簡単に開閉蓋にシート材を装着できるようにすべく、開閉蓋の上面に付着したシート材の周囲と開閉蓋の外周とを挟持材にて挟持するようにしたハッチの開閉蓋の挟持材であって、外周を一体に形成した挟持材とした。
【００１２】
さらにその上に、本発明は、スリップ事故を防止したり、衛生的な開閉蓋とすべく、挟持材のコーナー挟持部に開閉蓋上面に滞留した水の排水口を設けた挟持材とした。
【発明の効果】
【００１３】
本発明は、上述のように、ハッチの開閉蓋の上面に、乱反射させ且つ周囲と調和するシート材を付着したハッチの開閉蓋であるので、太陽の反射光を分散させ温度上昇を回避でき、周囲とバランスのとれる事によりストレスを感じさせない避難用ハッチの設置が可能となる。
【００１４】
また、本発明は、開閉蓋の上面に付着したシート材の周囲と開閉蓋の外周とを挟持材にて挟持するようにしたので、安価で簡単に開閉蓋にシート材を装着できる。
【００１５】
さらに、本発明は、開閉蓋の上面に付着したシート材の周囲と開閉蓋の外周とを挟持材にて挟持するようにしたハッチの開閉蓋の挟持材であって、開閉蓋外周の直線部を挟持する直線挟持部と、開閉蓋外周のコーナー部を挟持するコーナー挟持部とに分割した挟持材であるので、より簡単に開閉蓋にシート材を装着できる。
【００１６】
さらにまた、本発明は、開閉蓋の上面に付着したシート材の周囲と開閉蓋の外周とを挟持材にて挟持するようにしたハッチの開閉蓋の挟持材であって、外周を一体に形成した挟持材であるので、簡単に開閉蓋をシート材に装着できる。
【００１７】
さらにその上に、本発明は、挟持材のコーナー挟持部に開閉蓋上面に滞留した水の排水口を設けた挟持材としたので、スリップ事故を防止したり、衛生的な開閉蓋とすることができる。
【発明を実施するための最良の形態】
【００１８】
本発明を添付する図面に示すハッチ開閉蓋とその挟持材の具体的な一実施例に基づいて、以下詳細に説明する。
【００１９】
図１、図２に示すように、四角枠状のハッチ１に長方形状の開閉蓋２が開閉自在に設けられ、開閉蓋２を開いた際は人を脱出可能にするため起立するように設定されている。
【００２０】
シート材１１は、開閉蓋２より少し小さく設定し、開閉蓋２の上面で比較的滑りにくく、太陽光１０９を乱反射する素材、表面形状に形成し、固まっても伸縮性がある接着剤で周囲を接着する。シート材１１の材質としては樹脂ゴム、複合材等が考えられる。また、シート材として人工芝を用いることもできる。
【００２１】
シート材１１の開閉蓋２への装着は、図１に示すように、開閉蓋２の上面に付着したシート材１１の周囲と開閉蓋２の外周とを挟持材１２にて挟持して行う。シート材１１はアルミニウム等の金属製や合成樹脂等で、ベランダ周辺の色調に合わせたカラーとする。
【００２２】
挟持材１２の断面は、概略コ字状に形成し、シート材１と開閉蓋２とを把持できる形状および寸法に設定する。挟持材１２は開閉蓋２と密着できる寸法であれば、特にそのままで離脱することはない。挟持材１２に寸法誤差があったり、あるいはシート材１１の厚さに変化が生じて強固に把持できない場合は、挟持材１２の下辺１３を少し上方へ折り曲げることにより強固に固定できる。
【００２３】
一般の人でも簡単にできるように、挟持材１２は、図１に示すように、開閉蓋２外周の直線部を挟持する直線挟持部１２1 と、開閉蓋２外周のコーナー部を挟持するコーナー挟持部１２2 とに分割する。コーナー挟持部１２2 は、周囲の雰囲気と調和させるために木製で作成することもできる。この直線挟持部１２1 とコーナー挟持部１２2 によりシート材１１を開閉蓋２に装着する際は、直線挟持部１２1 とコーナー挟持部１２2 とを開閉蓋２に向けて押さえ込んでなす。
【００２４】
図２に示すように、外周を一体に形成した挟持材１４は上方より下方に向けて押さえ込んでシート材１１を開閉蓋２に装着する。
【００２５】
図３は開閉蓋２にシート材１１を取付けた状態の断面図を示す。
【００２６】
ハッチ１の開閉蓋２は、比較的、平面形状で、周囲に挟持材１２1 ・１２2 が少し盛り上がった状態で取付けられており、降雨時や、清掃により開閉蓋２の上面が濡れている場合が多い。このような時に開閉蓋２に不用意に踏み込むと、スリップして転倒事故を誘発する。また、開閉蓋２上面に水が滞留し、ゴミが付着すると、非衛生的である。
【００２７】
そこで、滞留した水を排水するため、図４に示すように、挟持材１２が直線挟持部１２1 とコーナー挟持部１２2 とで構成されている場合は、コーナー挟持部１２2 に排水口１５を開口させる。
【００２８】
外周を一体に形成した挟持材１４の場合は、図５に示すように、そのコーナー部に排水口１６を開口させる。
【００２９】
本発明は、太陽光１０９の直線的な反射光１１０はシート材１１により、乱反射されるため、居室内へのまぶしさや、温度上昇などは回避できる。
【００３０】
また、シート材１１と、それを固定する挟持材１２・１４は設置されている周囲とバランスの取れた色調にすることにより、ストレスを感じさせずに避難ハッチの配置が可能となる。
【００３１】
このシート材１１は避難ハッチの強度を低下させるような加工は一切しておらず、法的な条件を損なうことなく、住環境の改善が実現できる。
【００３２】
既に設置されている避難ハッチの場合であっても、短時間に本シート材１１を設置することが可能であると共に、集合住宅の共用部分への有害な改造にも該当しない。
【００３３】
また、降雨等で濡れた状態であっても、滑りにくいシート材１１で覆われているため不用意に足をかけた場合でも、転倒事故を招きにくい。
【産業上の利用可能性】
【００３４】
本発明は、ハッチの開閉蓋とその挟持材で、集合住宅等のハッチの開閉蓋に関するものであるが、船の看板の昇降ハッチにも利用できる。
【図面の簡単な説明】
【００３５】
【図１】本発明のハッチの開閉蓋置の具体的一実施例の分解斜視図である。
【図２】本発明のハッチの開閉蓋の他の具体的一実施例の分解斜視図である。
【図３】本発明の開閉蓋にシート材を取付けた状態の断面図である。
【図４】本発明の挟持材に開口部を設けた状態の模式図である。
【図５】本発明の挟持材に開口部を設けた状態の他の例の模式図である。
【図６】従来のベランダに設置された避難用ハッチの断面図である。
【図７】従来の避難用ハッチの設置状況と太陽光反射の概要を斜視図である。
【符号の説明】
【００３６】
１…ハッチ
２…開閉蓋
１１…シート材
１２・１４…挟持材
１２1 …直線挟持部
１２2 …コーナー挟持部
１５・１６…排水口
【図１】
2006006788.tif 000002
【図２】
2006006788.tif 000003
【図３】
2006006788.tif 000004
【図４】
2006006788.tif 000005
【図５】
2006006788.tif 000006
【図６】
2006006788.tif 000007
【図７】
2006006788.tif 000008